(57)【要約】【課題】ファイルの大きさに応じてデータの早送り又は巻き戻しの動作速度を制御することができるデータ再生装置を提供することを目的としている。【解決手段】映像又は音声データをファイルとして記憶するメモリと、前記データの再生機能と前記データの早送り又は巻き戻し機能とを有するデータ読み出し手段と、前記再生機能及び前記早送り又は巻き戻し機能を動作させるための機能ボタンと、前記ファイルの大きさを認識するファイル認識手段と、前記データ読み出し手段の動作状態を表示するディスプレイを備え、前記ファイルの大きさに応じて前記早送り又は巻き戻し機能の動作速度を制御することを特徴としたデータ再生装置である。この構成により、ファイルの大きさに応じて、早送り又は巻き戻し機能の動作速度を制御することができるため、使用者の利便性の向上を図ることができる。【選択図】図１
2005099107.tif 000002
【特許請求の範囲】
【請求項１】
映像又は音声データをファイルとして記憶するメモリと、
前記データの再生機能と前記データの早送り又は巻き戻し機能とを有するデータ読み出し手段と、
前記再生機能及び前記早送り又は巻き戻し機能を動作させるための入力手段と、
前記ファイルの大きさを認識するファイル認識手段と、
前記データ読み出し手段の動作状態を表示するディスプレイを備え、
前記ファイルの大きさに応じて前記早送り又は巻き戻し機能の動作速度を制御することを特徴としたデータ再生装置。
【請求項２】
映像又は音声データをファイルとして記憶するメモリと、
前記ファイルを分割する分割手段と、
前記データの再生機能と前記データの早送り又は巻き戻し機能とを有するデータ読み出し手段と、
前記分割手段により分割されたファイルのうち前記データ読み出し手段により再生するファイルを選択するファイル選択手段と、
前記ファイル選択手段により選択されたファイルの大きさを認識するファイル認識手段と、
前記再生機能及び前記早送り又は巻き戻し機能を動作させるための入力手段と、
前記データ読み出し手段の動作状態を表示するディスプレイを備え、
前記分割されたファイルの大きさに応じて前記早送り又は巻き戻し機能の動作速度を制御することを特徴としたデータ再生装置。
【請求項３】
映像又は音声データをファイルとして記憶するメモリと、
前記ファイルのうち一部のデータを抽出するデータ抽出手段と、
前記データ抽出手段により抽出されたデータの再生機能と、このデータの早送り又は巻き戻し機能とを有するデータ読み出し手段と、
前記再生機能及び前記早送り又は巻き戻し機能を動作させるための入力手段と、
前記抽出したデータ分のファイルの大きさを認識するファイル認識手段と、
前記データ読み出し手段の動作状態を表示するディスプレイを備え、
前記ファイルの大きさに応じて前記早送り又は巻き戻し機能の動作速度を制御することを特徴としたデータ再生装置。
【請求項４】
映像又は音声データをファイルとして記憶するメモリと、
前記ファイルの一部を削除して結合するファイル編集手段と、
前記データの再生機能と前記データの早送り又は巻き戻し機能とを有するデータ読み出し手段と、
前記ファイル編集手段により編集されたファイルの大きさを認識するファイル認識手段と、
前記再生機能及び前記早送り又は巻き戻し機能を動作させるための入力手段と、
前記データ読み出し手段の動作状態を表示するディスプレイを備え、
前記編集されたファイルの大きさに応じて前記早送り又は巻き戻し機能の動作速度を制御することを特徴としたデータ再生装置。
【請求項５】
録音手段又は録画手段を備え、
前記ファイルは、前記録画手段で録画された映像データ又は前記録音手段で録音された音声データを記憶する請求項１〜４記載の何れか一つに記載のデータ再生装置。
【請求項６】
前記早送り又は巻き戻し機能は、多段階の動作速度で前記データの早送り又は巻き戻しができ、
前記ファイルの大きさに応じて前記多段階の動作速度のうち一部の段階の動作速度を制御することを特徴とした請求項１〜５記載の何れか一つに記載のデータ再生装置。
【請求項７】
前記早送り又は巻き戻し機能の動作速度の制御は、
前記ファイル認識手段で認識されるファイルが大きいファイルの場合は前記動作速度を速くし、
前記ファイル認識手段で認識されるファイルが小さいファイルの場合は前記動作速度を遅くなるように制御する請求項１〜５記載の何れか一つに記載のデータ再生装置。
【発明の詳細な説明】
【技術分野】
【０００１】
本発明は、メモリに保存されたファイルの大きさに応じて早送り又は巻き戻し機能の動作速度を制御するデータ再生装置に関する。
【背景技術】
【０００２】
近年、携帯電話装置に関する技術の進歩は目覚しく、また使用者のあらゆるニーズに答える為に、種々の機能を有する携帯電話装置が開発されている。
【０００３】
例えば、携帯電話装置の基本的な機能である通信機能に加えて、音声録音機能、ＭＰ３ファイル貯蔵及び再生機能などを搭載した携帯電話装置がある。
【０００４】
上記の携帯電話装置は、インターネット網を介して音声データを携帯電話装置のメモリに保存する。そして、使用者が望むときにメモリからその保存されたデータを呼び出して再生する。
【０００５】
具体的には、本来の通信機能を制御するためのボタンに対し、音声ファイル等の貯蔵及び再生機能、音声録音機能を制御するための機能も持たせる。そして、そのボタンを押すことで、音声ファイル等のデータファイルをメモリから呼び出し、再生、停止、一時停止、早送り、巻き戻し等を行う。また、そのファイルの動作状態をディスプレイに表示する（例えば特許文献１）。
【０００６】
これにより、使用者は、ＭＰ３プレイヤー、携帯型カセットプレーヤ等を別途用いることなく、携帯電話装置により音楽等を聞き楽しむことができる。また、上記の携帯電話装置は音声録音機能も有しているため、別途ボイスレコーダー等を用いることなく、携帯電話装置により音声の録音、試聴を楽しむことができる。
【０００７】
また、音声を保存するための本体メモリの大容量化が進み、またメモリカード等の本体のメモリとは別途のメモリを携帯電話装置に搭載することも可能となっている。そのため、上記の携帯電話装置に比較的容量の大きな音声データを保存して、音楽等を聞くことも、ボイスレコーダとして使用することもできる。
【特許文献１】特開２００１−７９００号公報（第４−５頁、第１，２，６図）
【発明の開示】
【発明が解決しようとする課題】
【０００８】
しかしながら、上記の携帯電話装置では、保存されたファイルの容量が大きいときに、早送り／巻き戻しの動作で問題があった。
【０００９】
すなわち、容量の小さいファイルを再生している途中で早送り又は巻き戻しをする場合は、ファイルの全体の再生時間が短いため、一定の動作速度で早送り／巻き戻しをしても、そんなに時間をかけずに、使用者が希望するファイルの該当箇所へ早送り／巻き戻しをすることができる。
【００１０】
しかし、早送り／巻き戻しの動作速度が上記の動作速度と同じ一定の速度であると、容量の大きなファイルを再生している途中で早送り／巻き戻しをする場合は、使用者が希望するファイルの該当箇所へ早送り／巻き戻しをするのに時間がかかってしまう。
【００１１】
例えば、長時間の会議を録音するために上記の携帯電話装置をボイスレコーダとして利用する場合、上記の問題点が顕著に表れる。長時間の会議を保存したファイルは容量が大きくなる。そして、その保存したファイルの中に、使用者にとって聞く必要のない部分が、比較的長い時間録音されていたとする。この時、使用者はファイルの中の聞く必要のない部分を飛ばしつつ保存したファイルの内容を再生したい。しかし、この部分は早送り／巻き戻しをするのに時間がかかってしまうため、使用者が希望するファイルの該当箇所を再生することが困難である。
【００１２】
一方、再生装置の早送り／巻き戻しの動作速度を容量の大きいファイルに合わせて速くすると、容量の小さなファイルの早送り／巻き戻し動作が速すぎて、使用者が希望するファイルの該当箇所を行き過ぎてしまうことになる。
【００１３】
そこで本発明は、ファイルの大きさに応じて、早送り／巻き戻し機能の動作速度を変えることにより、使用者の利便性の向上を図る携帯電話装置を提供する。
【課題を解決するための手段】
【００１４】
本発明は、映像又は音声データをファイルとして記憶するメモリと、前記データの再生機能と前記データの早送り又は巻き戻し機能とを有するデータ読み出し手段と、前記再生機能及び前記早送り又は巻き戻し機能を動作させるための入力手段と、前記ファイルの大きさを認識するファイル認識手段と、前記データ読み出し手段の動作状態を表示するディスプレイを備え、前記ファイルの大きさに応じて前記早送り又は巻き戻し機能の動作速度を制御することを特徴としたデータ再生装置である。
【００１５】
この構成により、ファイルの大きさに応じて、早送り又は巻き戻し機能の動作速度を制御することができるため、使用者の利便性の向上を図ることができる。
【００１６】
また本発明は、映像又は音声データをファイルとして記憶するメモリと、前記ファイルを分割する分割手段と、前記データの再生機能と前記データの早送り又は巻き戻し機能とを有するデータ読み出し手段と、前記分割手段により分割されたファイルのうち前記データ読み出し手段により再生するファイルを選択するファイル選択手段と、前記ファイル選択手段により選択されたファイルの大きさを認識するファイル認識手段と、前記再生機能及び前記早送り又は巻き戻し機能を動作させるための入力手段と、前記データ読み出し手段の動作状態を表示するディスプレイを備え、前記分割されたファイルの大きさに応じて前記早送り又は巻き戻し機能の動作速度を制御することを特徴としたデータ再生装置である。
【００１７】
この構成により、メモリに保存されたファイルを分割することができ、分割されたファイルの大きさに応じて、早送り又は巻き戻し機能の動作速度を制御することができるため、使用者の利便性の向上を図ることができる。
【００１８】
また本発明は、映像又は音声データをファイルとして記憶するメモリと、前記ファイルのうち一部のデータを抽出するデータ抽出手段と、前記データ抽出手段により抽出されたデータの再生機能とこのデータの早送り又は巻き戻し機能とを有するデータ読み出し手段と、前記再生機能及び前記早送り又は巻き戻し機能を動作させるための入力手段と、前記抽出したデータ分のファイルの大きさを認識するファイル認識手段と、前記データ読み出し手段の動作状態を表示するディスプレイを備え、前記ファイルの大きさに応じて前記早送り又は巻き戻し機能の動作速度を制御することを特徴としたデータ再生装置である。
【００１９】
この構成により、メモリに保存されたファイルのうちの一部を抽出することができ、抽出したデータの大きさに応じて、早送り又は巻き戻し機能の動作速度を制御することができるため、使用者の利便性の向上を図ることができる。
【００２０】
また本発明は、映像又は音声データをファイルとして記憶するメモリと、前記ファイルの一部を削除して結合するファイル編集手段と、前記データの再生機能と前記データの早送り又は巻き戻し機能とを有するデータ読み出し手段と、前記ファイル編集手段により編集されたファイルの大きさを認識するファイル認識手段と、前記再生機能及び前記早送り又は巻き戻し機能を動作させるための入力手段と、前記データ読み出し手段の動作状態を表示するディスプレイを備え、前記編集されたファイルの大きさに応じて前記早送り又は巻き戻し機能の動作速度を制御することを特徴としたデータ再生装置である。
【００２１】
この構成により、ファイルを編集することができ、編集されたファイルの大きさに応じて、早送り又は巻き戻し機能の動作速度を制御することができるため、使用者の利便性の向上を図ることができる。
【００２２】
また本発明は、録音手段又は録画手段を備え、前記ファイルは、前記録画手段で録画された映像データ又は前記録音手段で録音された音声データを記憶するデータ再生装置である。
【００２３】
この構成により、音声等を録音又は録画することができ、録音手段又は録画手段により保存されたファイルの大きさに応じて、早送り又は巻き戻し機能の動作速度を制御することができるため、より使用者の利便性の向上を図ることができる。
【００２４】
また本発明は、前記早送り又は巻き戻し機能は、多段階の動作速度で前記データの早送り又は巻き戻しができ、前記ファイルの大きさに応じて前記多段階の動作速度のうち一部の段階の動作速度を制御することを特徴としたデータ再生装置である。
【００２５】
この構成により、ファイルの大きさに応じて、早送り又は巻き戻し機能の動作速度を制御することができるため、より使用者の利便性の向上を図ることができる。
【００２６】
また本発明は、前記早送り又は巻き戻し機能の動作速度の制御は、前記ファイル認識手段で認識されるファイルが大きいファイルの場合は前記動作速度を速くし、前記ファイル認識手段で認識されるファイルが小さいファイルの場合は前記動作速度を遅くなるように制御するデータ再生装置である。
【００２７】
この構成により、ファイルの大きさに応じて、早送り又は巻き戻し機能の動作速度を制御することができるため、より使用者の利便性の向上を図ることができる。
【発明の効果】
【００２８】
本発明によれば、ファイルの大きさに応じてデータの早送り又は巻き戻しの動作速度を制御することができるため、利用者の利便性の向上を図ることができる。
【００２９】
また、本発明は分割手段を設けているため、ファイルの分割することができ、分割されたファイルについてもファイルの大きさに応じてデータの早送り又は巻き戻しの動作速度を制御することができるため、利用者の利便性の向上を図ることができる。
【００３０】
また、本発明はデータ抽出手段を設けているため、ファイルの一部のデータを抽出して再生及び早送りまたは巻き戻しをすることができ、抽出したデータについてもデータ分のファイルの大きさに応じてデータの早送り又は巻き戻しの動作速度を制御することができるため、利用者の利便性の向上を図ることができる。
【００３１】
さらに、本発明はファイル編集手段を設けているため、ファイルを編集することができ、編集したファイルについてもファイルの大きさに応じてデータの早送り又は巻き戻しの動作速度を制御することができるため、利用者の利便性の向上を図ることができる。
【発明を実施するための最良の形態】
【００３２】
（実施の形態１）
以下、本発明の第１の実施の形態に係るデータ再生装置を図面と共に説明する。図１は、本発明の第１の実施の形態に係るデータ再生装置の構成のブロック図である。
【００３３】
図１において、メモリ２は、映像又は音声データをファイルとして記憶するメモリであって、メモリカード等の携帯電話装置から外すことができる記憶媒体である。そして、３はマイクロコンピュータ等の制御装置で、特にメモリ２の保存されるファイルの内容や大きさを認識するファイル認識手段４とメモリ２に保存されたファイルのデータを読み出すデータ読み出し手段５を有する。このデータ読み出し手段５には、データを再生して読み出す機能と早送り又は巻き戻して読み出す機能を有する。６はディスプレイでデータ読み出し手段５の動作状態を映像で表すものである。７はデータ読み出し手段５を制御するための信号を入力する入力手段である機能ボタンである。８は電源である。
【００３４】
なお、本発明の第１の実施の形態に係るデータ再生装置には携帯電話装置として使用する手段を設けている。すなわち２０１はアンテナであり、このアンテナ２０１に送受信部２０２を接続している。この送受信部２０２は、送信／受信を振り分けるアンテナスイッチを備えており、アンテナ２０１からの信号の受信、アンテナ２０１への信号の送信を行う。そして、この送受信部２０２に通信制御部２０３及び音声処理部２０４を順に接続し、この音声処理部２０４に受話側のスピーカ２０５及び送話側のマイクロフォン２０６を接続する。通信制御部２０３は、送受信部２０２へ信号を送受信し、音声処理部２０４から送られる音声データの制御や、制御装置３へ信号の送信等を行う。音声処理部２０４は、通信制御部２０３から送られた音声信号を変調しスピーカ２０５へ出力し、またマイクロフォン２０６からの信号を変調し通信制御部２０３へ出力する。スピーカ２０５は、音声処理部２０４からの信号を音として外部へ出力する。マイクロフォン２０６は、外部からの音声をひろい、信号を音声処理部２０４へ出力する。
【００３５】
図２は、本発明の第１の実施の形態に係るデータ再生装置の外観図である。図２において、メモリ２等の図１で示した構成は、データ再生装置である携帯電話装置１００の内部に配置している。携帯電話装置１００の筐体１０１には、テンキー１０２、通話開始キー１０３、終話キー１０４と機能ボタン７を配置し、機能ボタン７の上部にディスプレイ６を配置している。ユーザーはディスプレイ６を見ながら機能ボタン７を押すことでデータの再生等を行う。データ読み出し手段５を制御するための信号を入力するための入力手段である機能ボタン７は、それぞれ一対の左右ボタン７ｂ、７ｃと上下ボタン７ｄ、７ｅそして中央ボタン７ａを一組にした操作ボタンとして構成しており、機能ボタン７の上下ボタン７ｄ、７ｅによりディスプレイ６に表示した保存ファイル名又は図示しないカーソル枠を上下にスクロールすることができ、中央ボタン７ａを押すことにより再生するファイルを決定して再生動作を開始するようにしている。また、ユーザーは機能ボタン７の左右ボタン７ｂ、７ｃの左ボタン７ｂを長押しすることでデータの巻き戻しを、右ボタン７ｃを長押しすることでデータの早送りをすることができる。
【００３６】
以上のように構成されたデータ再生装置である携帯電話装置について、以下その動作を図３及び図４を用いて説明する。図３は、データの再生及び巻き戻し動作のフローチャートである。図４は、データの再生及び巻き戻し動作中のディスプレイの遷移図を表す。
【００３７】
まず、再生したいデータを選択するために、ユーザーは機能ボタン７を操作しメモリ２にアクセスして（Ｓ１）、メモリ２に保存されているファイルの内容を図４（ａ）のようにディスプレイ６に表示する。ディスプレイ６には、メモリに保存されているファイルの名前が表示される。そして、ユーザーはディスプレイ６を見つつ機能ボタン７ｄ、７ｅを押して再生したいファイルを選択する（Ｓ２）。このとき、ファイル認識手段４は、選択されたファイルのデータの大きさも認識する。そして、機能ボタン７ａを押すことで再生すべきファイルのデータを決定し、そのファイルのデータの再生が開始される（Ｓ３）。ディスプレイ６には図４（ｂ）に示すように、データの再生状態を動作名４００と再生時間４０１で表示する。また、データの総再生時間４０２なども表示される。なお、メモリ２の再生ファイルには動画や静止画のデータを含めて記憶しておくことができるので、再生ファイルに動画や静止画のデータが含まれているときは、図４（ｂ）〜（ｄ）のディスプレイ６の中央のエリア４１０に表示するようにしている。
【００３８】
次に、データの再生途中で巻き戻しをする場合、機能ボタン７ｂを長押しする（Ｓ４）。ここで、長押しとは、機能ボタン７を継続して押している状態をいう。長押ししている間は、データの巻き戻しが継続され、ディスプレイ６には図４（ｃ）にように巻き戻しを示す動作名４０３が表示され、再生時間４０１が表示される。そして、ユーザーが巻き戻したい時間まで巻き戻された時に、ユーザーは機能ボタン７ｂの長押し状態を解除する。ディスプレイ６には、図４（ｄ）に示すように一時停止状態を示す動作名４０４が表示される（Ｓ５）。この時間で、再生する場合は機能ボタン７ａを押して再生すればよいが（Ｓ６）、さらに巻き戻ししたい場合は再び機能ボタン７ｂを長押しして巻き戻しをすればよい（Ｓ５１）。また、再生又は巻き戻しの動作中に、誤ってメモリ２が携帯電話装置から取り出されてファイルを認識することができなくなった場合は、強制的に早送り又は巻き戻し動作を停止させ、ディスプレイ６には図４（ｅ）のようなメッセージ４０５を表示してユーザーに知らせる。なお、警告音等によりユーザーに知らせてもよい。
【００３９】
ここで上記の巻き戻しの動作速度は、ファイルの大きさによって異なる。すなわち（表１）に示すように、ファイル認識手段４が認識したファイルのデータの大きさ、つまりファイルの総再生時間に合わせて巻き戻しの動作速度を変更する。なお、ファイルの長さはファイルの総再生時間に相当し、巻き戻し動作速度は再生時の動作速度を基準として何倍の速度であるのかによって示す。
【００４０】
【表１】
2005099107.tif 000003
【００４１】
ファイルの総再生時間は、再生すべきファイルの大きさに順ずるものであるが、上記のように再生したいファイルを選択して再生する時に、ファイル認識手段４によってファイルの大きさを認識しており、このファイルの大きさが総再生時間に対応する。そして、制御装置３によって、再生ファイルの大きさに応じてデータ読み出し手段５の巻き戻し機能の動作速度を制御することでファイルの総再生時間に合わせて巻き戻しの動作速度を変更することができる。
【００４２】
これによって、ファイル認識手段４によって認識されるファイルの容量が大きい場合は巻き戻し速度を速くしているため、ユーザーが巻き戻したい時間へより速く巻き戻すことが可能となる。一方、ファイル容量が小さい場合は、巻き戻し速度を遅く設定しているため、巻き戻しがユーザーの希望する巻き戻しをしたい時間を過ぎてしまうという弊害もない。
【００４３】
また、巻き戻しの動作速度は、ファイルの大きさ毎に一定速度にする必要はなく、巻き戻し機能を多段階としてその一部の段階の動作速度を制御してもよい。例えば、機能ボタン７ｂを長押して巻き戻しが開始してから助走時間までは所定の動作速度として、その助走時間を経過した後は、その所定の速度より速い動作速度に設定する。そして、その助走時間を経過した後の速い動作速度をファイルの大きさに応じて制御する。これによって、容量の大きいファイルを巻き戻す場合であって、ユーザーが助走時間より短い時間だけ巻き戻したい場合でも、正確に巻き戻し動作を制御することができる。
【００４４】
なお、上記の説明では巻き戻しの動作のみについて説明したが、早送り動作でも同様な効果が得られる。また、早送り／巻き戻しの動作速度は、ファイルの大きさに応じて段階的に変更しているが、ファイルの容量が大きければ大きいほど動作速度を連続的に大きくしても良い。またメモリ２については、必ずしも携帯電話装置外部に取り出すことができる記憶媒体である必要はなく、携帯電話装置の本体に備え付けられる記憶媒体でもよい。さらに、本発明の実施の形態１のデータ再生装置では、携帯電話装置に用いた場合を説明したが、音声等を録音する録音手段を備えたボイスレコーダーや画像等を録画する録画手段を備えたビデオレコーダー等の機器に用いてよい。
【００４５】
（実施の形態２）
次に、本発明の第２の実施の形態に係るデータ再生装置について説明する。なお、本発明の第２の実施の形態に係るデータ再生装置についても、第１の実施の形態と同様に携帯電話装置に用いる。
【００４６】
図５は、本発明の第２の実施の形態に係るデータ再生装置の構成のブロック図であって、基本的な構成は本発明の第１の実施の形態に係るデータ再生装置と同様であるが、ファイル分割手段とファイル選択手段を設けた。
【００４７】
図５において、９はファイル分割手段であって、メモリ２に保存されているファイルを分割し複数のファイルにするためのものである。そして、１０はファイル選択手段であって、メモリの保存されている複数のファイルのうち、再生したいファイルを選択するたものである。
【００４８】
以上のように構成されたデータ再生装置を有する携帯電話装置について、以下その動作を図６を用いて説明する。
【００４９】
まず、分割したいファイルを選択するために、ユーザーは機能ボタン７を操作しメモリ２にアクセスして、メモリ２に保存されているファイルの内容を認識する（Ｓ６１）。このとき、そのファイルの内容はディスプレイ６に表示される。ディスプレイ６には、メモリ２に保存されているファイルの名前が表示される。そして、ユーザーはディスプレイ６を見つつ機能ボタン７ｄ、７ｅを押して分割したいファイルを選択する（Ｓ６２）。そして、機能ボタン７ａを押してファイルを分割する（Ｓ６３）。分割されたファイルは、ファイル名−１、ファイル名−２のようなファイル名を付けて分けられる。
【００５０】
ここで、ステップ６３の分割について図７を用いて説明する。例えば、ステップ６２において、図７（ａ）に示すように、総再生時間が２０分でファイル名が会議（９／４）であるファイル６００を選択したとする。ユーザーはファイル６００のうち６分〜６分３０秒に重要なデータが入っている、ファイル６００を０〜６分経過時までのファイルと、６〜６分３０秒経過時のファイルと、６分３０秒〜２０分経過時のファイルに分割したいとする。分割は、いくつのファイルに分割したいかのファイル数や分割したい時間をテンキー１０２を押し入力する。そして機能ボタン７ａを押しファイル分割手段９を制御することにより、図７（ｂ）に示すように３つのファイル６０１〜６０３に分割され、それぞれのファイルの名前は、ファイル６０１が会議（９／４）−１、ファイル６０２が会議（９／４）−２、ファイル６０３が会議（９／４）−３と付けられる。
【００５１】
次に、再生したいファイルを分割されたファイル群の中からファイル選択手段１０によって選択する（Ｓ６４）。このとき、ファイル認識手段４は、選択されたファイルのデータの大きさも認識する。そして、機能ボタン７ａを押すことで再生すべきでファイルのデータを決定し、そのファイルのデータの再生が開始される（Ｓ６５）。
【００５２】
次に、データの再生途中で巻き戻しをする場合、機能ボタン７ｂを長押しする（Ｓ６６）。長押ししている間は、データの巻き戻しが継続される。そして、ユーザーが巻き戻したい時間まで巻き戻された時に、ユーザーは機能ボタン７ｂの長押し状態を解除し、一時停止状態になる（Ｓ６７）。なお、この時間で、再び再生する場合は機能ボタン７ａを押して再生すればよいが（Ｓ６８）、さらに巻き戻ししたい場合は機能ボタン７ｂを長押しして巻き戻しをすればよい（Ｓ６７１）。また、再生又は巻き戻しの動作中に、誤ってメモリ２が携帯電話装置から取り出されてファイルを認識することができなくなった場合は、強制的に早送り又は巻き戻し動作を停止させる。
【００５３】
ここで上記の巻き戻しの動作速度は、選択されたファイルの大きさによって異なる。すなわち、ステップ６４においてファイル６０１を選択し、ステップ６６において巻き戻しを行うと、ファイル６０１の総再生時間が６分であるから（表１）より巻き戻しの動作速度が１０倍速となる。また、ステップ６４においてファイル６０２を選択し、ステップ６６において巻き戻しを行うと、ファイル６０２の総再生時間が３０秒であるから（表１）より巻き戻しの動作速度が４倍速となる。さらに、ステップ６４においてファイル６０３を選択し、ステップ６６において巻き戻しを行うと、ファイル６０３の総再生時間が１３分３０秒であるから（表１）より巻き戻しの動作速度が３０倍速となる。
【００５４】
これにより制御装置３によって、再生ファイルの大きさに応じてデータ読み出し手段５の巻き戻し機能の動作速度を制御することでファイルの総再生時間に合わせて巻き戻しの動作速度を変更することができ、ファイル容量が大きい場合は巻き戻し速度を速くしているため、ユーザーが巻き戻したい時間へより速く巻き戻すことが可能となる。一方、ファイル容量が小さい場合は、巻き戻し速度を遅く設定しているため、巻き戻しがユーザーの希望する巻き戻しをしたい時間を過ぎてしまうという弊害もない。
【００５５】
また、メモリ２に保存されたファイルが再生時間の長いファイルであっても、ファイル分割手段９を用いて分割することで、ファイルを細かく分けることができデータを管理する上で利便性を高めることができる。そして、分割されたファイルのそれぞれについて再生するときには、それぞれの選択されたファイルの大きさに応じて巻き戻しの動作速度を制御することができるため、容量の大きなファイルを分割したところはゆっくりと巻き戻すことができるというように、利用者の利便性の向上を図ることができる。
【００５６】
さらに、ファイル選択手段９で複数のファイルを選択することにより、それぞれのファイルの大きさに応じて巻き戻しの動作速度を制御することができる。すなわち、ステップ６４においてファイル選択手段９により３つのファイル６０１〜６０３を選択し、再生及び巻き戻しを行う。仮に１７分経過時から６分まで巻き戻し動作すると、本発明の実施の形態２のデータ再生装置はそれぞれのファイルの大きさによって巻き戻し動作速度が制御されているため、図７（ｂ）に示したように１７分経過時から６分３０秒経過時までの巻き戻しの動作速度は３０倍速で速く制御され、６分３０秒経過時から６分経過時までの巻き戻しの動作速度は４倍速で遅く制御される。これによって、比較的重要でないデータに関しては速い動作で巻き戻しを行い、重要なデータに関しては遅い動作で巻き戻しをすることができるため、より利用者の利便性の向上をはかることができる。
【００５７】
なお、本発明の実施の形態２では巻き戻しの動作のみについて説明したが、早送り動作でも同様な効果が得られる。また、早送り／巻き戻しの動作速度は、ファイルの大きさに応じて段階的に変更しているが、ファイルの容量が大きければ大きいほど動作速度を連続的に大きくしても良い。さらに、本発明の実施の形態１のデータ再生装置では、携帯電話装置に用いた時を説明したが、音声等を録音する録音手段を備えたボイスレコーダーや画像等を録画する録画手段を備えたビデオレコーダー等の機器に用いてよい。
【００５８】
（実施の形態３）
次に、本発明の第３の実施の形態に係るデータ再生装置について説明する。なお、本発明の第３の実施の形態に係るデータ再生装置についても、第１の実施の形態と同様に携帯電話装置に用いる。
【００５９】
図８は、本発明の第３の実施の形態に係るデータ再生装置の構成のブロック図であって、基本的な構成は本発明の第１の実施の形態に係るデータ再生装置と同様であるが、データ抽出手段を設けた。
【００６０】
図８において、１１はデータ抽出手段であって、メモリ２に保存されているファイルのうち一部のデータを抽出するものである。
【００６１】
以上のように構成されたデータ再生装置を有する携帯電話装置について、以下その動作を図９を用いて説明する。
【００６２】
まず、再生したいデータを含むファイルを選択するために、ユーザーは機能ボタン７を操作しメモリ２にアクセスして（Ｓ８１）、メモリ２に保存されているファイルの内容をディスプレイ６に表示する。ディスプレイ６には、メモリ２に保存されているファイルの名前が表示される。そして、ユーザーはディスプレイ６を見つつ機能ボタン７ｄ、７ｅを押して再生したいファイルを選択する（Ｓ８２）。そして、機能ボタン７を押すことでデータ抽出手段１１を制御し、選択したファイルのうち再生したいデータを抽出する（Ｓ８３）。例えば、図１０（ａ）に示すように、ステップＳ８２において選択したファイル７００の総再生時間が２０分であって、５分経過時から７分経過時まで再生したい場合は、テンキー１０２を操作して抽出する時間を設定し、データ抽出手段１１によりその設定した時間のデータ７０１を抽出する。そして、その抽出データ７０１はディスプレイ６に表示される。また、ファイル認識手段４は、抽出データ７０１のファイルの大きさを認識する。そして、機能ボタン７ａを押すことでデータの再生が開始される（Ｓ８４）。
【００６３】
次に、データの再生途中で巻き戻しをする場合、機能ボタン７ｂを長押しする（Ｓ８５）。長押ししている間は、データの巻き戻しが継続される。そして、ユーザーが巻き戻したい時間まで巻き戻された時に、ユーザーは機能ボタン７ｂの長押し状態を解除し、一時停止状態になる（Ｓ８６）。なお、この時間で、再生する場合は機能ボタン７ａを押して再生すればよい（Ｓ８７）が、さらに巻き戻ししたい場合は再び機能ボタンを長押しして巻き戻しをすればよい（Ｓ８６１）。また、再生又は巻き戻しの動作中に、誤ってメモリ２が携帯電話装置から取り出されてファイルを認識することができなくなった場合は、強制的に早送り又は巻き戻し動作を停止させる。
【００６４】
ここで上記の巻き戻しの動作速度は、抽出したデータ分のファイルの大きさ（上記の例によれば、５分経過時から７分経過時までのデータ容量）によって異なる。ファイルの総再生時間は、再生すべきファイルの大きさに順ずるものであるが、上記のように抽出したファイルを再生する時に、ファイル認識手段４によって抽出したデータのファイルの大きさを認識しており、このファイルの大きさが総再生時間に対応する。そして、制御装置３によって、再生ファイルの大きさに応じてデータ読み出し手段５の巻き戻し機能の動作速度を制御することでファイルの総再生時間に合わせて巻き戻しの動作速度を変更することができる。
【００６５】
これによって、ファイル容量が大きい場合は巻き戻し速度を速くしているため、ユーザーが巻き戻したい時間へより速く巻き戻すことが可能となる。一方、ファイル容量が小さい場合は、巻き戻し速度を遅く設定しているため、巻き戻しがユーザーの希望する巻き戻しをしたい時間を過ぎてしまうという弊害もない。
【００６６】
また、メモリ２に保存されたファイルが再生時間の長いファイルであっても、データ抽出手段を用いて再生したいデータのみを抽出し、再生することで、ユーザーの利便性を高めることができる。そして、抽出したデータを再生するときには、抽出したデータ分のファイルの大きさに応じて巻き戻しの動作速度を制御することができるため、抽出したデータの再生時間が短いものであっても、ユーザーは確実に巻き戻し動作を制御することができる。特に、実施の形態２のようにファイルを分割しないで特定範囲のデータを抽出しているので、メモリ２に記憶したファイルは元のままの状態で保存できるという利点がある。
【００６７】
なお、本発明の実施の形態３では巻き戻しの動作のみについて説明したが、早送り動作でも同様な効果が得られる。また、早送り／巻き戻しの動作速度は、ファイルの大きさに応じて段階的に変更しているが、ファイルの容量が大きければ大きいほど動作速度を連続的に大きくしても良い。さらに、本発明の実施の形態１のデータ再生装置では、携帯電話装置に用いた時を説明したが、音声等を録音する録音手段を備えたボイスレコーダーや画像等を録画する録画手段を備えたビデオレコーダー等の機器に用いてよい。
【００６８】
（実施の形態４）
次に、本発明の第４の実施の形態に係るデータ再生装置について説明する。なお、本発明の第４の実施の形態に係るデータ再生装置についても、第１の実施の形態と同様に携帯電話装置に用いる。
【００６９】
図１１は、本発明の第４の実施の形態に係るデータ再生装置の構成のブロック図であって、基本的な構成は本発明の第１の実施の形態に係るデータ再生装置と同様であるが、ファイル編集手段を設けた。
【００７０】
図１１において、１２はファイル編集手段であって、メモリ２に保存されているファイルの一部を削除し、またメモリに保存されている複数のファイルを一つのファイルに結合し、さらにはファイルの一部のデータを削除し残りのデータを一つファイルとして結合することもできる。
【００７１】
以上のように構成されたデータ再生装置を有する携帯電話装置について、以下その動作を図１２を用いて説明する。
【００７２】
まず、編集したいファイルを選択するために、ユーザーは機能ボタン７を操作しメモリ２にアクセスして（Ｓ９１）、ディスプレイ６に表示する。ディスプレイ６には、メモリ２に保存されているファイルの名前が表示される。そして、ユーザーはディスプレイ６を見つつ機能ボタン７ｄ、７ｅを押して編集したいファイルを選択し（Ｓ９２）、機能ボタン７を押してファイルを編集する（Ｓ９３）。ファイル認識手段４は、編集されたファイルのデータの大きさを認識する。そして、機能ボタン７ａを押すことで編集したファイルのデータの再生が開始される（Ｓ９４）。
【００７３】
次に、データの再生途中で巻き戻しをする場合、機能ボタン７ｂを長押しする（Ｓ９５）。長押ししている間は、データの巻き戻しが継続される。そして、ユーザーが巻き戻したい時間まで巻き戻された時に、ユーザーは機能ボタン（Ｓ９６）の長押し状態を解除し、一時停止状態になる。なお、この時間で、再生する場合は機能ボタン７ａを押して再生すればよいが（Ｓ９７）、さらに巻き戻ししたい場合は再び機能ボタン７ｂを長押しして巻き戻しをすればよい（Ｓ９６１）。また、再生又は巻き戻しの動作中に、誤ってメモリが携帯電話装置から取り出されてファイルを認識することができなくなった場合は、強制的に早送り又は巻き戻し動作を停止させる。
【００７４】
ここで上記の巻き戻しの動作速度は、選択されたファイルの大きさによって異なる。ファイルの総再生時間は、再生すべきファイルの大きさに順ずるものであるが、上記のように再生したいファイルを選択して再生する時に、ファイル認識手段４によって選択されたファイルの大きさを認識しており、このファイルの大きさが総再生時間に対応する。そして、制御装置３によって、再生ファイルの大きさに応じてデータ読み出し手段５の巻き戻し機能の動作速度を制御することでファイルの総再生時間に合わせて巻き戻しの動作速度を変更することができる。
【００７５】
これによって、編集したファイル容量が大きい場合は巻き戻し速度を速くしているため、ユーザーが巻き戻したい時間へより速く巻き戻すことが可能となる。一方、編集したファイル容量が小さい場合は、巻き戻し速度を遅く設定しているため、巻き戻しがユーザーの希望する巻き戻しをしたい時間を過ぎてしまうという弊害もない。
【００７６】
また、メモリ２に保存されたファイルが再生時間の長いファイルであっても、ファイル編集手段１２を用いることで、不必要なデータを削除することができるため、データを管理する上で利便性を高めることができる。そして編集されたファイルの大きさに応じて巻き戻しの動作速度を制御することができるため、利用者の利便性の向上を図ることができる。
【００７７】
なお、本発明の実施の形態４では巻き戻しの動作のみについて説明したが、早送り動作でも同様な効果が得られる。また、早送り／巻き戻しの動作速度は、ファイルの大きさに応じて段階的に変更しているが、ファイルの容量が大きければ大きいほど動作速度を連続的に大きくしても良い。さらに、本発明の実施の形態１のデータ再生装置では、携帯電話装置に用いた時を説明したが、音声等を録音する録音手段を備えたボイスレコーダーや画像等を録画する録画手段を備えたビデオレコーダー等の機器に用いてよい。
【産業上の利用可能性】
【００７８】
本発明にかかるデータ再生装置は、ファイルの大きさに応じてデータの早送り／巻き戻しの動作速度を制御することができ、データ再生機能を有する携帯電話装置等として有用である。
【図面の簡単な説明】
【００７９】
【図１】本発明の第１の実施の形態に係るデータ再生装置のブロック図
【図２】本発明の第１の実施の形態に係るデータ再生装置を携帯電話装置へ用いる場合の外観図
【図３】本発明の第１の実施の形態に係るデータ再生装置の動作を示すフローチャート
【図４】本発明の第１の実施の形態に係る携帯電話装置のディスプレイの遷移図
【図５】本発明の第２の実施の形態に係るデータ再生装置のブロック図
【図６】本発明の第２の実施の形態に係るデータ再生装置の動作を示すフローチャート
【図７】本発明の第２の実施の形態に係るデータ再生装置のデータ分割の概念図
【図８】本発明の第３の実施の形態に係るデータ再生装置のブロック図
【図９】本発明の第３の実施の形態に係るデータ再生装置の動作を示すフローチャート
【図１０】本発明の第３の実施の形態に係るデータ再生装置のデータ抽出の概念図
【図１１】本発明の第４の実施の形態に係るデータ再生装置のブロック図
【図１２】本発明の第４の実施の形態に係るデータ再生装置の動作を示すフローチャート
【符号の説明】
【００８０】
２    メモリ
３    制御装置
４    ファイル認識手段
５    データ読み出し手段
６    ディスプレイ
７ａ，７ｂ，７ｃ，７ｄ，７ｅ    機能ボタン
８    電源
９    ファイル分割手段
１０    ファイル選択手段
１１    データ抽出手段
１２    ファイル編集手段
【図１】
2005099107.tif 000004
【図２】
2005099107.tif 000005
【図３】
2005099107.tif 000006
【図４】
2005099107.tif 000007
【図５】
2005099107.tif 000008
【図６】
2005099107.tif 000009
【図７】
2005099107.tif 000010
【図８】
2005099107.tif 000011
【図９】
2005099107.tif 000012
【図１０】
2005099107.tif 000013
【図１１】
2005099107.tif 000014
【図１２】
2005099107.tif 000015